(57)【要約】      （修正有）【課題】電力測定手段から得られる電力値が正しいことを容易に確認することが出来る画像形成装置を提供する。【解決手段】画像形成装置で消費される電力を測定する電力測定部４２０と、電力測定に必要な部分に給電したときに画像形成装置で消費された電力値を保持するＲＡＭ５０７を備える。そして、ＲＡＭ５０７に保持された電力値と電力測定部４２０により所定のタイミングで測定された電力値を比較し、ＲＡＭ５０７に保持された電力値と測定された電力値が一致した場合には、画像形成装置を省電力状態へ移行させる。【選択図】図５
2015104846.tif 000002
【特許請求の範囲】
【請求項１】
画像形成装置において、
前記画像形成装置で消費される電力を測定する測定手段と、
前記測定手段による電力測定に必要な部分に給電したときに前記画像形成装置で消費された電力値を保持する記憶手段と、
前記記憶手段に保持された電力値と前記測定手段により所定のタイミングで測定された電力値を比較する比較手段と、
前記比較手段の結果から、前記記憶手段に保持された電力値と前記測定手段により測定された電力値が一致した場合には、前記画像形成装置を所定の状態へ移行させる制御手段とを備えることを特徴とする画像形成装置。
【請求項２】
前記測定手段は、前記画像形成装置が省電力状態へ移行する前に前記電力値を測定することを特徴とする請求項１に記載の画像形成装置。
【請求項３】
前記測定手段は、前記画像形成装置の起動時に前記電力値を測定することを特徴とする請求項１に記載の画像形成装置。
【請求項４】
ユーザからの操作を受け付ける操作手段をさらに備え、
前記測定手段は、前記操作手段で受け付けたユーザからの操作に応じた任意のタイミングで前記電力値を測定することを特徴とする請求項１に記載の画像形成装置。
【請求項５】
前記制御手段は、前記比較手段の結果から、前記記憶手段に保持された電力値と前記測定手段により測定された電力値が一致しなかった場合は、前記画像形成装置が省電力状態に移行する条件が整ったとしても省電力状態に移行せずにエラー表示を行うように制御することを特徴とする請求項２に記載の画像形成装置。
【請求項６】
前記制御手段は、前記比較手段の結果から、前記記憶手段に保持された電力値と前記測定手段により測定された電力値が一致した場合は、前記画像形成装置を省電力状態に移行させることを特徴とする請求項２に記載の画像形成装置。
【請求項７】
前記制御手段は、前記比較手段の結果から、前記記憶手段に保持された電力値と前記測定手段により測定された電力値が一致しなかった場合は、エラー表示を行った後に前記画像形成装置を起動させることを特徴とする請求項３に記載の画像形成装置。
【請求項８】
前記制御手段は、前記比較手段の結果から、前記記憶手段に保持された電力値と前記測定手段により測定された電力値が一致した場合は、前記画像形成装置を起動させることを特徴とする請求項３に記載の画像形成装置。
【請求項９】
前記制御手段は、前記比較手段の結果から、前記記憶手段に保持された電力値と前記測定手段により測定された電力値が一致しなかった場合は、前記測定手段により電力測定が実施された後もエラー表示を行うように制御することを特徴とする請求項４に記載の画像形成装置。
【請求項１０】
前記制御手段は、前記比較手段の結果から、前記記憶手段に保持された電力値と前記測定手段により測定された電力値が一致した場合は、前記画像形成装置を前記測定手段による電力測定前の電力状態に戻すことを特徴とする請求項４に記載の画像形成装置。
【請求項１１】
画像形成装置の制御方法において、
前記画像形成装置で消費される電力を測定する測定工程と、
前記測定工程による電力測定に必要な部分に給電したときに前記画像形成装置で消費された電力値を記憶手段に保持する記憶工程と、
前記記憶手段に保持された電力値と前記測定工程にて所定のタイミングで測定された電力値を比較する比較工程と、
前記比較工程での結果から、前記記憶手段に保持された電力値と前記測定工程にて測定された電力値が一致した場合には、前記画像形成装置を所定の状態へ移行させる制御工程とを備えることを特徴とする制御方法。
【請求項１２】
請求項１１に記載の制御方法を画像形成装置に実行させるためのコンピュータに読み取り可能なプログラム。
【発明の詳細な説明】
【技術分野】
【０００１】
本発明は、画像形成装置及びその制御方法、並びにプログラムに関し、特に、電力センサを用いて画像形成装置の電力測定を行う際に、電力測定手段から出力値された電力値が正しいかどうかを検証するための制御技術に関する。
【背景技術】
【０００２】
従来、電力測定手段を有する画像形成装置において、省電力状態では出来る限り消費電力を下げるために電力測定手段への電力供給はせず、推測値を用いて省電力状態中の電力を算出する技術が提案されている（例えば、特許文献１参照）。
【先行技術文献】
【特許文献】
【０００３】
【特許文献１】特開２０１２−０５６１５３号公報
【発明の概要】
【発明が解決しようとする課題】
【０００４】
しかしながら、上記特許文献１では、画像形成装置が電力測定手段から得た電力値が正しいものかどうかを検証する手段がない。また、上記特許文献１では、省電力状態のときには電力測定手段への電力供給をせず、推測値を用いて電力値を算出しているが、推測値と実測した電力値が一致しているかどうかを確かめる手段がない。
【０００５】
本発明は、上記問題に鑑みて成されたものであり、電力測定手段から得られる電力値が正しいことを容易に確認することが出来る画像形成装置及びその制御方法、並びにプログラムを提供することを目的とする。
【課題を解決するための手段】
【０００６】
上記目的を達成するために、本発明の画像形成装置は、画像形成装置において、前記画像形成装置で消費される電力を測定する測定手段と、前記測定手段による電力測定に必要な部分に給電したときに前記画像形成装置で消費された電力値を保持する記憶手段と、前記記憶手段に保持された電力値と前記測定手段により所定のタイミングで測定された電力値を比較する比較手段と、前記比較手段の結果から、前記記憶手段に保持された電力値と前記測定手段により測定された電力値が一致した場合には、前記画像形成装置を所定の状態へ移行させる制御手段とを備えることを特徴とする。
【発明の効果】
【０００７】
本発明によれば、電力測定手段を用いて測定した電力値と、ある決められた構成で予め測定してあり、記憶手段に格納されている電力値とを比較することで、電力測定手段から得られる電力値が正しいことを容易に確認することが出来る。
【図面の簡単な説明】
【０００８】
【図１】本発明の第１の実施形態に係る画像形成装置が接続されたネットワークシステムの構成例を示す図である。
【図２】図１の画像形成装置の外観を示す図である。
【図３】画像形成装置におけるコントローラの構成をより詳細に説明するためのブロック図である。
【図４】コントローラ、スキャナ部、プリンタ部の電源制御に関するハードウェア構成を示すブロック図である。
【図５】図４における電力測定部の構成をより詳細に説明するためのブロック図である。
【図６】画像形成装置がジョブを実行してから電力測定を行い省電力状態へ移行するまでの電力値の変化を示すタイムチャートである。
【図７】図６のｔ７４で省電力移行要件を満たしたことを電源制御部が検知し、電力測定を行ってから省電力状態へ移行する場合の制御処理を示すフローチャートである。
【図８】図４に示すハードウェア構成の電力測定時の通電状態を示す図である。
【図９】本発明の第２の実施形態における画像形成装置１０が起動してすぐに電力測定を行い、その後にジョブを実行してから省電力状態へと移行するまでの電力値の変化を示すタイムチャートである。
【図１０】図９のｔ９１で画像形成装置が電源ＯＮになり、電力測定を行ってから通常起動する場合の制御処理を示すフローチャートである。
【図１１】本発明の第３の実施形態における画像形成装置が省電力状態から復帰してジョブを実行した後に電力測定を行い、その後、省電力状態へと移行するまでの電力値の変化を示すタイムチャートである。
【図１２】図１１のｔ１１４からｔ１１５の間で画像形成装置が電力測定を行ってから電力測定前の状態に復帰し、その後省電力状態へ移行する場合の制御処理を示すフローチャートである。
【発明を実施するための形態】
【０００９】
以下、本発明の実施の形態を図面を参照して詳細に説明する。
【００１０】
［第１の実施形態］
図１は、本発明の第１の実施形態に係る画像形成装置が接続されたネットワークシステムの構成例を示す図である。
【００１１】
図１において、ホストコンピュータ４０，５０と画像形成装置１０，２０，３０とがＬＡＮ６０に接続されている。なお、ホストコンピュータや画像形成装置は、図示の数に限られるものではない。また、本実施形態では、複数のホストコンピュータと複数の画像形成装置とがＬＡＮに接続されている形態について説明するが、これに限られることはなく、例えばＷＡＮ（公衆回線）などに接続されている形態であってもよい。
【００１２】
ホストコンピュータ（以下、「ＰＣ」と称する）４０，５０は、いわゆるパーソナルコンピュータの機能を有している。ＰＣ４０，５０は、画像形成装置１０〜３０に対して、ＬＡＮ６０を介してＦＴＰやＳＭＢプロトコルを用いファイルを送受信したり、電子メールを送受信したりすることができる。また、ＰＣ４０，５０から画像形成装置１０〜３０に対して、プリンタドライバを介した印字命令を行うことが可能となっている。さらにＰＣ４０，５０は、定期的に画像形成装置１０〜３０に対して、画像形成装置の状態を問い合わせることができ、ＰＣ４０，５０からの要求によって、画像形成装置１０〜３０が印刷可能であるか否かなどの情報を返信することができる。なお、ＰＣ４０とＰＣ５０は、略同一の構成部や機能を有し、画像形成装置１０〜３０に対して同じ役割を担うものであることから、ＰＣ４０を用いて説明を行う。
【００１３】
画像形成装置１０と画像形成装置２０とは同じ構成部や機能を有する装置である。画像形成装置３０はプリント機能のみを有する装置であり、画像形成装置１０や画像形成装置２０が有するスキャナ部を有していない。以下では、説明を簡易化する為に、画像形成装置１０を用いて説明する。
【００１４】
次に、画像形成装置１０を構成する構成部の詳細について説明する。
【００１５】
画像形成装置１０は、画像入力手段であるスキャナ部１３と、画像出力手段であるプリンタ部１４と、画像形成装置１０全体の動作制御を司るコントローラ（Ｃｏｎｔｒｏｌｌｅｒ  Ｕｎｉｔ）１１と、ユーザインターフェース（ＵＩ）である操作部１２を備える。画像形成装置１０の外観例を図２に示す。
【００１６】
スキャナ部１３は、複数のＣＣＤを有している。各ＣＣＤの感度が夫々異なっていると、たとえ原稿上の各画素の濃度が同じであったとしても、各画素が夫々違う濃度であると認識されてしまう。そのため、スキャナ部１３では、最初に白板（一様に白い板）を露光走査し、露光走査して得られた反射光の量を電気信号に変換してコントローラ１１に出力している。
【００１７】
スキャナ部１３は、原稿上の画像を露光走査して得られた反射光をＣＣＤに入力することで画像の情報を電気信号に変換する。さらに電気信号をＲ，Ｇ，Ｂ各色からなる輝度信号に変換し、当該輝度信号を画像データとしてコントローラ１１に対して出力する。
【００１８】
原稿は原稿フィーダ２０１のトレイ２０２にセットされる。ユーザが操作部１２から読み取り開始を指示すると、コントローラ１１からスキャナ部１３に原稿読み取り指示が与えられる。スキャナ部１３は、この指示を受けると原稿フィーダ２０１のトレイ２０２から原稿を１枚ずつフィードして、原稿の読み取り動作を行う。なお、原稿の読み取り方法は原稿フィーダ２０１による自動送り方式ではなく、原稿を不図示のガラス面上に載置し露光部を移動させることで原稿の走査を行う方法であってもよい。
【００１９】
プリンタ部１４は、コントローラ１１から受取った画像データを用紙上に形成する。本実施形態では、感光体ドラムや感光体ベルトを用いた電子写真方式の画像形成方法を前提とするが、これに限られることはない。例えば、微少ノズルアレイからインクを吐出して用紙上に印字するインクジェット方式などでも適用可能である。
【００２０】
また、プリンタ部１４には、異なる用紙サイズ又は異なる用紙向きを選択可能とする複数の用紙カセット２０３，２０４，２０５が設けられている。排紙トレイ２０６には印字後の用紙が排出される。
【００２１】
図３は、画像形成装置１０におけるコントローラ１１の構成部をより詳細に説明するためのブロック図である。
【００２２】
コントローラ１１は、スキャナ部１３やプリンタ部１４と電気的に接続されており、一方ではＬＡＮ６０などを介してＰＣ４０，５０や外部の装置（デバイス）などと接続されている。これにより、画像データやデバイス情報の入出力が可能となっている。
【００２３】
ＣＰＵ３０１は、ＲＯＭ３０３に記憶された制御プログラム等に基づいて接続中の各部とのアクセスを統括的に制御すると共に、コントローラ内部で行われる各種処理についても統括的に制御する。ＲＡＭ３０２は、ＣＰＵ３０１が動作するためのシステムワークメモリであり、かつ画像データを一時記憶するためのメモリでもある。ＲＡＭ３０２は、ＳＲＡＭ（Ｓｔａｔｉｃ  Ｒａｎｄｏｍ  Ａｃｃｅｓｓ  Ｍｅｍｏｒｙ）及びＤＲＡＭ（Ｄｙｎａｍｉｃ  Ｒａｎｄｏｍ  Ａｃｃｅｓｓ  Ｍｅｍｏｒｙ）により構成されている。ＲＯＭ３０３には、装置のブートプログラムなどが格納されている。ＨＤＤ３０４はハードディスクドライブであり、システムソフトウェアや画像データを格納することが可能となっている。
【００２４】
操作部Ｉ／Ｆ３０５は、システムバス３０７と操作部１２とを接続するためのインターフェース部である。この操作部Ｉ／Ｆ３０５は、操作部１２に表示するための画像データをシステムバス３０７から受取って操作部１２に出力すると共に、操作部１２から入力された情報をシステムバス３０７へと出力する。
【００２５】
ＬＡＮコントローラ３０６はＬＡＮ６０及びシステムバス３０７に接続し、情報の入出力制御を行う。また、ＬＡＮコントローラ３０６はＰｏｗｅｒ  Ｏｖｅｒ  Ｅｔｈｅｒｎｅｔ(登録商標)の受電部も搭載しており、ＬＡＮケーブルから電力供給されることが可能である。そのため、画像形成装置１０の電源から供給される電力だけでなく、ＰＯＥで供給される電力によってもＬＡＮコントローラ３０６は動作することが可能である。
【００２６】
画像バス３０８は画像データをやり取りするための伝送路であり、ＰＣＩバスやＩＥＥＥ１３９４等から成る。
【００２７】
画像処理部３０９は画像処理を行うためのものであり、ＲＡＭ３０２に記憶された画像データを読み出し、ＪＰＥＧ、ＪＢＩＧなどの拡大または縮小、色調整などの画像処理を行うことが可能である。
【００２８】
スキャナ画像処理部３１０は、スキャナ部１３からスキャナＩ／Ｆ３１１を介して受取った画像データに対して、補正、加工、及び編集を行う。なお、スキャナ画像処理部３１０は、受け取った画像データがカラー原稿か白黒原稿か、文字原稿か写真原稿かなどを判定する。そして、その判定結果を画像データに付随させる。こうした付随情報を属性データと称する。
【００２９】
プリンタ画像処理部３１２は、この画像データに付随させられている属性データを参照しながら画像データに画像処理を施す。画像処理後の画像データは、プリンタＩ／Ｆ３１３を介してプリンタ部１４に出力される。
【００３０】
スキャナ制御部３３１は、ユーザからスキャナに対する設定等をＣＰＵ３０１との通信により受信し、それに基づきスキャナ駆動部３３２の制御を実施する。スキャナ制御部３３１は、ＣＰＵ３０１が代替としてスキャナ駆動部３３２を制御するような構成でもよい。
【００３１】
スキャナ駆動部３３２は、不図示のＡＤＦの紙搬送用のモータのような物理的に動作するものである。スキャナ制御部３３１からの制御に基づき動作する。
【００３２】
プリンタ制御部３４１は、ユーザからプリンタに対する設定等をＣＰＵ３０１との通信により受信し、それに基づきプリンタ駆動部３４２の制御を実施する。プリンタ制御部３４１は、ＣＰＵ３０１が代替としてプリンタ駆動部３４２を制御するような構成でもよい。
【００３３】
プリンタ駆動部３４２は、不図示の定着器や紙搬送モータのような物理的に動作するものである。プリンタ制御部３４１からの制御に基づき動作する。
【００３４】
図４は、コントローラ１１、スキャナ部１３、プリンタ部１４の電源制御に関するハードウェア構成を示すブロック図である。
【００３５】
電源制御部４０１は、起動時や電源オフ時の電源制御や、省電力状態への移行／復帰といった時の電源状態の変更を制御する。電源制御部４０１は、省電力状態から復帰する場合の復帰要因（例えばＦＡＸ受信やスイッチ押下等）を検知し、復帰要因に応じて各装置への電源供給を行うかどうかの制御を行う。また、ＣＰＵ３０１からの命令や後述のＷａｋｅ信号４０３等の省電力状態からの復帰検出用の信号等を受け、それらに応じて第一電源供給部４２１や第二電源供給部４３０から各装置への電源供給を行うかどうかの制御を行う。
【００３６】
また、電源制御部４０１は、省電力状態からの復帰時にプリンタ駆動部３４２やスキャナ駆動部３３２を動作させる状態で復帰するかそれとも停止した状態で起動するかを通知するための動作モード設定信号４０４，４０５を出力する。電源制御部４０１は、省電力状態のときに受けた復帰要因に応じて動作モード設定信号４０４，４０５の論理を決定する。
【００３７】
さらに、電源制御部４０１は、省電力状態へ移行する場合の移行要因（例えばユーザからの操作や印刷／スキャンなどのジョブが無い状態が一定期間続いた場合等）を検知する。そして、電源制御部４０１は、検知した移行要因に応じて、第一電源供給部４２１や第二電源供給部４３０から各装置への電源供給を停止するかどうかの制御を行う。
【００３８】
電源制御部４０１から出力される制御信号４０６〜４１２，４１４は、各部に対して電源供給を行うかどうかを制御するための信号である。また、スイッチ４２２，４２４〜４２７，４２９，４３１，４３２は、制御信号４０６〜４１２，４１４で制御されるスイッチである。スイッチ４２２，４２４〜４２７，４２９，４３１，４３２を制御信号４０６〜４１２，４１４で制御することで各部に対しての電源供給状態を変更することが可能となる。なお、スイッチ４２２，４２４〜４２７，４２９，４３１，４３２は、ＦＥＴやリレースイッチ等によって実現することができる。
【００３９】
Ｗａｋｅ信号４０３は、画像形成装置１０が省電力状態時に、ＬＡＮコントローラ３０６がＬＡＮ６０経由で自機に対するパケットを受信した際に、その旨をＬＡＮコントローラ３０６から電源制御部４０１に通知するための信号である。電源制御部４０１は、Ｗａｋｅ信号４０３を受信すると、パケットに対する応答が出来るように各部に対する電源供給制御を行う。
【００４０】
電力測定部４２０は、商用電源と第一電源供給部４２１との間に設置され、電源制御部４０１からの制御信号４１５，４１６により制御される。
【００４１】
図５は、図４における電力測定部４２０の構成部をより詳細に説明するためのブロック図である。
【００４２】
電圧検出部５０１は、電圧の値を読み取るものである。電圧の具体的な検出方法は、商用電源１５のＬ（ライン）とＮ（ニュートラル）を全波整流し、それをトランスなどで低圧化した数値をＡ／Ｄ変換部５０３で読み取る一般的な方法でもよいし、他の方法でもよい。
【００４３】
電流検出部５０２は、電流の値を読み取るものである。電流の具体的な検出方法は、商用電源１５のＬに流れる電流値を磁束に変換し、それを電圧に変換してＡ／Ｄ変換部５０４で読み取ってもよいし、電流値検出抵抗を挿入して読み取ってもよい。また、流れる電流により温度が変化する素子を挿入して、読み取る方法でもよい。
【００４４】
上記方法等で検出され、Ａ／Ｄ変換された電圧レベルと電流レベルからＭＰＵ５０５で電力値を算出した後、当該算出された電力値がシリアルＩ／Ｆ４１６を介して電源制御部４０１に送信される。または、ＭＰＵ５０５からＡ／Ｄ変換された電圧レベルと電流レベルをそのまま電源制御部４０１へ送信することも出来る。
【００４５】
電力測定部４２０は、電源制御部４０１から出力される制御信号４１５によって、スイッチ５０９をオフ／オンする制御がなされる。電源制御部４０１は、電力測定を行う通常状態へと遷移する際、制御信号４１５を用いて電力測定部４２０をオン（ＯＮ）することが出来る。電源制御部４０１は、電力測定を行わない省電力状態に移行する際、制御信号４１５を用いて電力測定部４２０をオフ（ＯＦＦ）することが出来る。
【００４６】
電力測定部４２０にはＭＰＵ５０５があり、ＭＰＵ５０５はＲＯＭ５０６に記憶された制御プログラム等に基づいて、電力測定部４２０内部で行われる電力測定に関する処理を統括的に制御する。また、シリアルＩ／Ｆ４１６を介した電源制御部４０１との通信も統括的に制御する。
【００４７】
ＭＰＵ５０５は、シリアルＩ／Ｆ４１６を介して受信した電源制御部４０１からの電力値要求を受け、電力測定を行う。そして、ＭＰＵ５０５は、Ａ／Ｄ変換部５０３，５０４でＡ／Ｄ変換された電圧レベルと電流レベルから電力値（消費電力値）を算出する。算出した電力値は、シリアルＩ／Ｆ４１６を通じて電源制御部４０１に送信することが出来る。もしくは、Ａ／Ｄ変換された電圧レベルと電流レベルを電源制御部４０１に送信してもよい。
【００４８】
電源制御部４０１は、電力測定部４２０から受信した電力値から、装置の制御方法を変更することが出来る。
【００４９】
ＲＡＭ５０７には、画像形成装置１０において電力測定に必要となる最小の構成部に給電した時の電力値が予め保持されている。ＭＰＵ５０５は、測定した電力値とＲＡＭ５０７で保持している電力値を比較し、測定が正しく行われているかを判断することが出来る。
【００５０】
ここで、ＲＡＭ５０７に保持している電力値が、画像形成装置１０の最小構成時のものである理由を説明する。
【００５１】
画像形成装置１０には、実際には図４に明示していないオプションが多く接続されていることが多い。また、画像形成装置１０の設置された場所の温度によって、スキャナ部１３、プリンタ部１４で消費する電力値が大きく異なってしまうことが想定される。こういった電力値の変動要因をなくし、電力測定部４２０の出力値を正確に比較・判定する為には、変動要因を除外した状態で電力測定を行う必要がある。そのため、本実施形態では、電力測定が行える最低限の構成部に通電して電力値の比較・判定を行う。但し、必ずしも最小構成時の電力値である必要はなく、電力値が変動しにくく、比較・判定する為に適した構成時の電力値であればよい。
【００５２】
図６は、画像形成装置１０がジョブを実行してから電力測定を行い省電力状態へ移行するまでの電力値の変化を示すタイムチャートである。
【００５３】
図６において、ｔ７１では、画像形成装置１０は省電力状態から抜けてウォームアップを行う。このとき、ウォームアップ時の電力値はＷ２である。
【００５４】
ｔ７２でウォームアップが終わり、ジョブを実行する。ジョブ実行時の電力値はＷ３である。
【００５５】
ｔ７３でジョブが終わり、画像形成装置１０はスタンバイ状態へと移行する。スタンバイ時の電力値はＷ１である。その後、予め決められた一定期間Δｔ７＝ｔ７４−ｔ７３で、ジョブの実行や操作部１２の操作が行われなかった場合、電力測定状態へと移行する。電力測定時の電力値はＷ０´である。電力測定時は、省電力状態に比べて電力測定部４２０への通電を行っているため、電力値は若干高くなる。正しく電力測定が行われていることが確認できた場合、ｔ７５で省電力状態に移行する。省電力状態での電力値はＷ０である。
【００５６】
図７は、図６のｔ７４で省電力移行要件を満たしたことを電源制御部４０１が検知し、電力測定を行ってから省電力状態へ移行する場合の制御処理を示すフローチャートである。
【００５７】
ステップＳ８０１では、電源制御部４０１は、省電力状態へ移行する条件を満たしたかどうかを判定する。省電力状態に移行する条件は、具体的に、予め決められた一定期間操作部１２がユーザによって操作されなかったり、ＬＡＮ６０を介してＰＣ４０からプリントジョブを受信しなかったりすることである。この省電力状態に移行する条件は、画像形成装置１０に事前に設定されているものであり、上記具体例に限定されるものではない。ステップＳ８０１で省電力状態への移行条件を満たしたと判断した場合は、ステップＳ８０２へ進む。
【００５８】
ステップＳ８０２では、電源制御部４０１は、電力測定に必要な部分（ブロック）に給電する制御を行う。具体的には図８を用いて説明を行う。
【００５９】
図８は、図４に示すハードウェア構成の電力測定時の通電状態を示す図である。
【００６０】
電力測定時の通電状態とは、電力測定に必要となる第一電源供給部４２１、電源制御部４０１、ＬＡＮコントローラ３０６、ＲＡＭ３０２、及び電力測定部４２０に通電されている状態である。ＲＡＭ３０２はセルフリフレッシュ状態である。本状態では、スイッチ４２６，４２７，４２９が切れており、スイッチ４２６，４２７，４２９を通して電力供給を受けている部分は全て電源オフの状態である。つまり、ステップＳ８０２で電源制御部４０１は、制御信号４０８，４０９，４１２を用いて、スイッチ４２６，４２７，４２９をオフする制御を行う。電源制御部４０１が電力測定に必要な部分に給電する制御をした場合、ステップＳ８０３へと移行する。
【００６１】
ステップＳ８０３では、電源制御部４０１から電力測定部４２０に対してシリアルＩ／Ｆ４１６を介して電力値の要求を行う。電源制御部４０１からの電力値要求をうけた電力測定部４２０は、ＭＰＵ５０５で電力値の算出を行う。
【００６２】
次に、ステップＳ８０４では、ＭＰＵ５０５は算出した電力値と予めＲＡＭ５０７に保持されている電力値とを比較する。このとき、ＲＡＭ５０７に保持されている電力値は、図８に示す通電状態で予め測定してある電力値である。この電力値は、理論上の算出値でもよいし、例えば工場出荷時などに予め測定した値でもよいし、今までの平均値から算出した値でもよい。
【００６３】
ステップＳ８０５では、ＭＰＵ５０５は、ステップＳ８０３で測定した電力値（消費電力値）とＲＡＭ５０７で保持している消費電力値を比較し、電力測定部４２０での測定が正しく行われているかを判断する。ＭＰＵ５０５は、シリアルＩ／Ｆ４１６を介して電源制御部４０１にステップＳ８０５の判定結果の通知を行う。ステップＳ８０５で測定値が一致していると判断した場合はステップＳ８０６へと進む一方、不一致と判断した場合はステップＳ８０８へと進む。
【００６４】
ステップＳ８０８では、電源制御部４０１は、電力測定部４２０から測定した電力値が不一致であるとの通知を受けるとスイッチ４２７をオンする。その後、ＣＰＵ３０１が操作部Ｉ／Ｆ３０５を介して操作部１２にエラー表示を行う。もしくは、ＣＰＵ３０１がＬＡＮ６０を介してＰＣ４０にエラー通知を送信する。これにより、電力測定部４２０の測定値が不確かなまま、推定電力値を用いる省電力状態へと移行することがなくなる。
【００６５】
ステップＳ８０８でエラー通知がされると、操作部１２でエラー情報が表示されるため、ユーザは電力測定部４２０の不具合に気がつくことが出来る。
【００６６】
ここで、ステップＳ８０４，Ｓ８０５では、電力測定部４２０内部のＲＡＭ５０７に電力値を保持しておき、ＭＰＵ５０５で判断しているが、当該ステップは電力測定部４２０で行わなくてもよい。例えば、電力測定部４２０で測定した電力値をシリアルＩ／Ｆ４１６で電源制御部４０１へと送信し、ＲＡＭ３０２で保持した電力値を用いてＣＰＵ３０１が電力値比較を行ってもよい。
【００６７】
ステップＳ８０６では、電源制御部４０１は、制御信号４１５を用いて電力測定部４２０への電源供給をオフする制御を行う。その後、ステップＳ８０７で省電力状態へと移行する。
【００６８】
以上の制御処理によって、画像形成装置１０を所定の状態（省電力状態）に移行する直前に電力値の確認をすることで、予め格納された推測値を用いて算出を行う省電力状態での電力値の確からしさを高めることが出来る。
【００６９】
上記第１の実施形態によれば、画像形成装置１０で消費される電力を測定する電力測定部４２０と、電力測定に必要な部分に給電したときに画像形成装置１０で消費された電力値を保持するＲＡＭ５０７を備える。そして、ＲＡＭ５０７に保持された電力値と電力測定部４２０により所定のタイミングで測定された電力値を比較し、ＲＡＭ５０７に保持された電力値と測定された電力値が一致した場合には、画像形成装置１０を省電力状態へ移行させる。これにより、電力測定手段を用いて測定した電力値と、電力測定に必要な部分に給電したときに予め測定され、記憶手段に格納されている電力値とを比較することで、電力測定手段から得られる電力値が正しいことを容易に確認することが出来る。
【００７０】
［第２の実施形態］
本発明の第２の実施の形態では、図１〜図５に示す構成が上記第１の実施の形態と同じであり、第１の実施の形態と同様の部分については、同一の符号を用いてその説明を省略する。以下に、上記第１の実施の形態と異なる点を説明する。
【００７１】
上記第１の実施形態では、画像形成装置１０が省電力状態に移行する前に電力測定を行う実施形態について説明した。
【００７２】
しかしながら、画像形成装置１０を起動してから省電力状態に移行するまでの間も電力測定は行われている。そこで、起動時に電力測定を行い、電力測定系の動作確認を行う構成について図９及び図１０を用いて説明する。
【００７３】
図９は、画像形成装置１０が起動後すぐに電力測定を行い、その後にジョブを実行してから省電力状態へと移行するまでの電力値の変化を示すタイムチャートである。
【００７４】
図９において、ｔ９１では、画像形成装置１０は起動するが、このとき、電源制御部４０１は、図８に示す電力測定に必要となる部分に通電して電力測定を行う。電力測定時の電力値はＷ０´である。その後、正しく電力測定が行われていることが確認できた場合、ｔ９２でスタンバイ状態へと移行する。スタンバイ時の電力値はＷ1である。その後、画像形成装置１０はウォームアップへと移行する。ウォームアップ時の電力値はＷ２である。その後、ｔ９３でジョブを受信し、画像形成装置１０はウォームアップを実行する。このときに受信したジョブによって、電源制御部４０１は通電部分を選択する。例えば、プリントジョブを行う場合は、スイッチ４２６，４２７，４２９，４３１をオンする。また、スキャンジョブを行う場合は、スイッチ４２６，４２７，４２９，４３２をオンする。ジョブ実行時の電力値はＷ３である。
【００７５】
ｔ９５でジョブが終わり、画像形成装置１０はスタンバイ状態へと移行する。スタンバイ時の電力値は先ほどと同じくＷ１である。その後、予め決められた一定期間Δｔ９＝ｔ９６−ｔ９５で、ジョブの実行や操作部１２の操作が行われなかった場合には省電力状態に移行する。省電力状態での電力値はＷ０である。
【００７６】
図１０は、図９のｔ９１で画像形成装置１０が電源ＯＮになり、電力測定を行ってから通常起動する場合の制御処理を示すフローチャートである。
【００７７】
ステップＳ１００１では、電源制御部４０１は、スイッチ４２２が押されて電源ＯＮされたかどうかを判定する。スイッチ４２２が押されて電源ＯＮされたと判断した場合はステップＳ１００２へ進む。一方、スイッチ４２２が押されていない場合には、電源制御部４０１は引き続きスイッチ４２２が押されたかどうかの判定を継続する。
【００７８】
ステップＳ１００２では、電源制御部４０１は、電力測定に必要な部分（ブロック）に給電する制御を行う。電力測定に必要な部分とは、上記第１の実施形態にて図８を使って説明をしており、図７のステップＳ８０２と同じ制御を行うため、ここでの説明は割愛する。電源制御部４０１は給電制御を実施すると、ステップＳ１００３へ進む。
【００７９】
以降、ステップＳ１００３−Ｓ１００６、ステップＳ１００８では、図７のステップＳ８０３−Ｓ８０５、ステップＳ８０８と同じ処理を行うため、ここでの説明は割愛する。
【００８０】
ステップＳ１００７では、スタンバイ状態へと移行するべく電源制御部４０１は、制御信号４０８，４０９を用いてスイッチ４２６，４２７をオンする制御を行う。ここで、電源制御部４０１がどこのスイッチをオンするかは予め決めておくことができ、スイッチ４２６，４２７以外をオンしてスタンバイ状態へと移行してもよい。
【００８１】
ここで、ステップＳ１００６で測定値が一致した場合は、通常の起動処理となる。一方、ステップＳ１００８でエラー通知を行っている場合であっても、画像形成装置１０は起動処理を行う。しかし、画像形成装置１０は操作部１２にエラー表示がされた状態で起動するため、ユーザは電力測定部４２０の不具合に気がつくことが出来る。
【００８２】
以上の制御フローによって、画像形成装置１０が起動する前に電力値の確認をすることで、画像形成装置１０を使用する際に電力測定部４２０で測定した電力値の確からしさを高めることが出来る。
【００８３】
第２の実施形態では、電力測定部４２０は、電源制御部４０１からの指示に応じて、画像形成装置１０の起動時に電力値を測定する。これにより、画像形成装置１０を使用する際に電力測定部４２０で測定した電力値の確からしさを高めることが出来る。
【００８４】
［第３の実施形態］
本発明の第３の実施の形態では、図１〜図５に示す構成が上記第１の実施の形態と同じであり、第１の実施の形態と同様の部分については、同一の符号を用いてその説明を省略する。以下に、上記第１の実施の形態と異なる点を説明する。
【００８５】
上記実施形態では、画像形成装置１０が省電力状態へ移行する直前（第１の実施形態）と起動直後（第２の実施形態）に電力測定を行い、電力測定部４２０で測定した電力値が正しいかどうかを確認する実施形態について説明した。
【００８６】
しかしながら、予め決められたタイミングだけでなく、ユーザが任意のタイミングで電力値を確認したい場合もある。そこで、任意のタイミングで電力測定を行い、電力測定系の動作確認を行う実施形態について図１１及び図１２を用いて説明する。
【００８７】
図１１は、画像形成装置１０が省電力状態から復帰してジョブを実行した後に電力測定を行い、その後、省電力状態へと移行するまでの電力値の変化を示すタイムチャートである。
【００８８】
図１１において、ｔ１１１では、画像形成装置１０は省電力状態から抜けて、ウォームアップを行う。このとき、ウォームアップ時の電力値はＷ２である。ｔ１１２でウォームアップが終わり、ジョブを実行する。ジョブ実行時の電力値はＷ３である。ｔ１１３でジョブが終わり、画像形成装置１０はスタンバイ状態へと移行する。スタンバイ時の電力値はＷ１である。スタンバイ状態へと移行したｔ１１４のタイミングで、ユーザは操作部１２を操作し、電力測定の実行を指示する。操作部１２からの指示を受けて、電源制御部４０１は電力測定状態へと移行するべく、図８に示す電力測定に必要となる部分に通電して電力測定を行う。電力測定時の電力値はＷ０´である。電力測定終了後、電源制御部４０１は、ｔ１１５でスタンバイ状態に戻す様に電源供給制御を行う（ｔ１１３で供給されていたのと同じ所へ電力供給を行うように制御する）。スタンバイ状態で、予め決められた一定期間Δｔ１１＝ｔ１１６−ｔ１１５、ジョブの実行や操作部１２の操作が行われなかった場合、ｔ１１６で省電力状態に移行する。省電力状態での電力値はＷ０である。
【００８９】
図１２は、図１１のｔ１１４からｔ１１５の間で画像形成装置１０が電力測定を行ってから電力測定前の状態に復帰し、その後省電力状態へ移行する場合の制御処理を示すフローチャートである。
【００９０】
ステップＳ１２０１では、電源制御部４０１は、ユーザが操作部１２から電力測定の実行を指示したかどうかを判定する。電力測定の実施が指示されたと判断した場合、ステップＳ１２０２へと移行する。
【００９１】
ステップＳ１２０２では、電源制御部４０１は、電力測定に必要な部分に給電する制御を行う。電力測定に必要な部分とは、上記第１の実施形態にて図８を使って説明をしており、図７のステップＳ８０２と同じ制御を行うため、ここでの説明は割愛する。電源制御部４０１は給電制御を実施すると、ステップＳ１２０３へ進む。
【００９２】
以降、ステップＳ１２０３−Ｓ１２０５、Ｓ１２０７では、図７のステップＳ８０３−Ｓ８０５、Ｓ８０８と同じ処理を行うため、ここでの説明は割愛する。
【００９３】
ステップＳ１２０６では、ステップＳ１２０１で電力測定を実施する前の電力状態に戻すために、電源制御部４０１は、ステップＳ１２０２で供給を切った部分に対する給電を再開する制御を行う。一方、測定値が一致しなかった場合はステップＳ１２０７でエラー通知を実行した後、ステップＳ１２０８へと進む。ここで、もともとステップＳ１２０１でユーザが意識的に操作部１２を操作して電力測定を指示していることから、エラーに対する対応を行うことが考えられる。よって、エラーが解除されたタイミングで、再度電力測定を行うため、ステップＳ１２０８では操作部１２に再測定を行うかどうかの表示をしておく。ユーザが操作部１２から再測定を指示すると、再度ステップＳ１２０３に進んで電力測定を実施する。
【００９４】
以上の制御フローによって、ユーザは任意のタイミングで電力測定部４２０により測定された電力値の確からしさを確認することが出来る。
【００９５】
第３の実施形態によれば、電力測定部４２０は、操作部１２で受け付けたユーザからの操作に応じた任意のタイミングで電力値を測定する。これにより、ユーザは任意のタイミングで電力測定部４２０により測定された電力値の確からしさを確認することが出来る。
【００９６】
上記第１から第３の実施形態では、本発明を画像形成装置に適用した場合の実施形態について説明したが、これに限定されるものではなく、画像処理装置や情報処理装置に適用することも可能である。
【００９７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００９８】
１０  画像形成装置
１１  コントローラ
１２  操作部
３０１  ＣＰＵ
３０２  ＲＡＭ
３０６  ＬＡＮコントローラ
４０１  電源制御部
４２０  電力測定部
４２１  第一電源供給部
４３０  第二電源供給部
５０５  ＭＰＵ
【図１】
2015104846.tif 000003
【図２】
2015104846.tif 000004
【図３】
2015104846.tif 000005
【図４】
2015104846.tif 000006
【図５】
2015104846.tif 000007
【図６】
2015104846.tif 000008
【図７】
2015104846.tif 000009
【図８】
2015104846.tif 000010
【図９】
2015104846.tif 000011
【図１０】
2015104846.tif 000012
【図１１】
2015104846.tif 000013
【図１２】
2015104846.tif 000014